(57)【要約】【課題】  版胴やインキローラ等に傷が付いたり破損するのを防止するとともに装置の故障を防止する。【解決手段】  版胴１とゴム胴１０の前方側はカバー４７によって覆われ、版胴１の前方側は版挿入用のローダ５０によって覆われている。新版５３Ａを挿入するローダ５０はピン５１を中心として、空間５２を閉塞する閉塞位置と、空間５２を開放する開放位置との間で揺動自在に支持されている。開放された空間５２を遮蔽する遮蔽部材４１，４３は、版胴１に近接する近接位置と近接位置から離間した離間位置との間を移動する版押えコロ３８と一体的に移動する。遮蔽部材４１，４３は、遮蔽面４１ａ，４３ａと、旧版を排出する版排出口４５と、２つの版案内部４１ｂ，４３ｂと、これら版案内部に版を導入する版胴入口４６とを備える。版排出口４５の間隔Ｌ１を版胴入口４６の間隔Ｌ２よりも小さく形成されている。【選択図】  図１
2005169723.tif 000002
【特許請求の範囲】
【請求項１】
左右のフレーム間に回転自在に支持された版胴と、
左右の前記フレーム間に設けられた第１の覆い部材と、
この第１の覆い部材の近傍に位置し、左右の前記フレーム間に形成される空間の少なくとも一部を閉塞する閉塞位置と、前記空間を開放する開放位置との間で揺動する揺動部材と、
前記開放位置に前記揺動部材が位置付けられたときに前記版胴に装着された版を排出する版排出装置において、
前記開放位置に位置付けられた前記揺動部材と前記覆い部材との間を、開放部を有するように覆う覆い面が形成された第２の覆い部材を備え、
前記開放部は、前記版胴に装着された前記版を排出することを特徴とする版排出装置。
【請求項２】
請求項１記載の版排出装置において、
前記第２の覆い部材は、前記覆い面と、前記開放部から版胴側に延設され排出される版の厚み方向に対向する２つの版案内部と、これら版案内部に版を導入する版導入口とを備え、
前記開放部の間隔を前記版導入口の間隔よりも小さく形成したことを特徴とする版排出装置。
【請求項３】
請求項１記載の版排出装置において、
前記版胴に装着される版を前記版胴で押えつける押えローラと、
この押えローラを、版を前記版胴に押えつける押え位置と、前記押え位置から離間した離間位置との間で動作させるアクチュエータとを備え、
前記第２の覆い部材を前記押えローラ側に支持したことを特徴とする版排出装置。
【発明の詳細な説明】
【技術分野】
【０００１】
本発明は、版胴に装着された版を手動によって排出する版排出装置に関するものである。
【背景技術】
【０００２】
従来の版排出装置においては、左右のフレームに回転自在に支持された版胴と、この版胴の前方側に設けられ版の交換等のための開口を有するカバーと、このカバーの開口を覆う位置と開放する位置とで移動自在に支持され、開口を覆う位置において版を製版する製版装置とを備え、版を排出する際に製版装置を開口が開放される位置に移動させ、この開放された開口から版胴の版万力のくわえを解除した版を取り外すものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−３２２２３８号公報（段落「００４９」、図２）
【発明の開示】
【発明が解決しようとする課題】
【０００３】
上述した従来の版排出装置においては、版を排出するときに、版胴の前面側が開放された開口状態になるため、この開放された開口から工具やウェス等が誤って挿入されるおそれがあった。工具やウェス等が挿入されると、版胴やインキローラ等に傷が付いたり破損したりするというばかりではなく、装置自体が故障するおそれがあるという問題があった。
【０００４】
本発明は上記した従来の問題に鑑みなされたものであり、その目的とするところは、版胴やインキローラ等に傷が付いたり破損するのを防止するとともに装置の故障を防止することにある。
【課題を解決するための手段】
【０００５】
この目的を達成するために、請求項１に係る発明は、左右のフレーム間に回転自在に支持された版胴と、左右の前記フレーム間に設けられた第１の覆い部材と、この第１の覆い部材の近傍に位置し、左右の前記フレーム間に形成される空間の少なくとも一部を閉塞する閉塞位置と、前記空間を開放する開放位置との間で揺動する揺動部材と、前記開放位置に前記揺動部材が位置付けられたときに前記版胴に装着された版を排出する版排出装置において、前記開放位置に位置付けられた前記揺動部材と前記覆い部材との間を、開放部を有するように覆う覆い面が形成された第２の覆い部材を備え、前記開放部は、前記版胴に装着された前記版を排出するものである。
【０００６】
請求項２に係る発明は、請求項１に係る発明において、前記第２の覆い部材は、前記覆い面と、前記開放部から版胴側に延設され排出される版の厚み方向に対向する２つの版案内部と、これら版案内部に版を導入する版導入口とを備え、前記開放部の間隔を前記版導入口の間隔よりも小さく形成したものである。
【０００７】
請求項３に係る発明は、請求項１に係る発明において、前記版胴に装着される版を前記版胴で押えつける押えローラと、この押えローラを、版を前記版胴に押えつける押え位置と、前記押え位置から離間した離間位置との間で動作させるアクチュエータとを備え、前記第２の覆い部材を前記押えローラ側に支持したものである。
【発明の効果】
【０００８】
請求項１に係る発明によれば、版を排出するときに、版胴の前面側の開口が覆い部材の覆い面によって遮蔽されるため、この覆い面によって工具やウェス等の挿入が阻止されるから、これらによって版胴やインキローラ等に傷が付いたり損傷したりするのを防止できるとともに、装置の故障を防止することができる。
請求項２に係る発明によれば、版胴からくわえを外された版を版導入口から２つの版案内部に確実に導入することができるとともに、版排出口の間隔を最小限の大きさとすることができるから、版排出口から工具やウェス等の挿入を確実に規制することができる。
請求項３に係る発明によれば、覆い部材を作動位置と退避位置との間に移動させるための装置を特別に必要としないため、部品点数を削減できるばかりではなく構造の簡素化を図ることができる。
【発明を実施するための最良の形態】
【０００９】
以下、本発明の実施の形態を図に基づいて説明する。図１は本発明に係る版排出装置の要部を示す側面図、図２は同じく展開した正断面図、図３ないし図１２は同じく排版動作と給版動作を説明するための側面図である。
【００１０】
図１に符号１で示す版胴は、左右のフレーム２，３に回転自在に支持されており、周面に設けた切欠きには、図３に示すように、版の始端をくわえる従来から広く知られているくわえ側版万力４と版の終端をくわえる尻側版万力５とが設けられている。これらくわえ側版万力４と尻側版万力５とは、版胴１の端面から突出したくわえ側カム軸６と尻側カム軸７に軸着したカムレバー８，９を、後述するくわえ切替コロ２８によって揺動させることで版のくわえおよびくわえの解除がなされるように構成されている。図１において、１０は版胴１に対接するゴム胴であって、左右のフレーム２，３に回転自在に支持されている。
【００１１】
図２において、１２は固定軸であって、左右のフレーム２，３間に固定子１３，１３を介して固定されており、この固定軸１２には、固定軸１２の全長方向に延在する安全バー１５が、固定軸１２に回転自在に支持され円筒状に形成された３つのブラケット１４に固定されている。これらブラケットのうち左右のブラケット１４の周面の一部には、軸線方向に延在する溝（図示せず）が設けられており、左方側の溝には、フレーム２に取り付けられたリミットスイッチ１６の作動子が係入され、右方側の溝には、フレーム３にスタッドを介して取り付けられたボールプランジャー１７が係入されている。したがって、安全バー１５に工具等が接触し、ボールプランジャー１７の姿勢保持力に抗して、安全バー１５が回動すると、リミットスイッチ１６が作動し、版胴１およびゴム胴１０の回転が停止するように制御される。１８は円筒状で安全バー１５と略同じ長さに形成された版ガイドバーであって、固定軸１２と平行となるように、左右のブラケット１４，１４間に取り付けられている。
【００１２】
次に、図１ないし図４を用いて、くわえ側版万力４と尻側版万力５とによる版のくわえおよびくわえを解除するくわえ切替装置２０について説明する。
【００１３】
図２において、２１はフレーム３に回転自在かつ軸線方向に移動が規制された枢軸であって、この枢軸２１のフレーム３の外側に突出した突出端部にはレバー２２の基端部が軸着され、このレバー２２の揺動端部には、レバー２３の一端部が枢着されている。このレバー２３の他端部は、シリンダエンドがフレーム３に枢着された図示を省略した第１のエアシリンダのロッドに連結されており、ロッドが進退することにより、レバー２３，２２を介して枢軸２１が回動するように構成されている。
【００１４】
枢軸２１のフレーム３の内側に突出した突出端部には、レバー２４の基端部が軸着されており、このレバー２４の揺動端部はコロレバー２５の中央部に枢着されている。２６はフレーム３に植設された軸であって、この軸２６にレバー２７の基端部が枢支されており、このレバー２７の揺動端部はコロレバー２５の一端部に枢着されている。したがって、レバー２４，２７とコロレバー２５とによって４節リンクが形成されており、枢軸２１が、図１中時計・反時計方向に回動することにより、コロレバー２５がレバー２４，２７を伴って版胴１の半径方向へ進退するように構成されている。
【００１５】
このようなコロレバー２５の他端部には、版胴１の回動位相にしたがって、カムレバー８，９のいずれかに選択的に対応するくわえ切替コロ２８が枢着されており、コロレバー２５が進退することによりくわえ切替コロ２８によってカムレバー８またはカムレバー９が、図３中実線で示す位置と二点鎖線で示す位置の範囲内で揺動し、くわえ側カム軸６または尻側カム軸７が回動するように構成されている。すなわち、くわえ側カム軸６が図３中反時計方向に回動して、カムレバー８が図中実線で示す位置に位置付けられると、くわえ側版万力４によって版がくわえられる状態となり、くわえ側カム軸６が時計方向に回動して、カムレバー８が二点鎖線で示す位置に位置付けられると、くわえ側版万力４よるくわえが解除される。また、尻側カム軸７が図４中反時計方向に回動して、カムレバー９が図中実線で示す位置に位置付けられると、尻側版万力５によって版がくわえられる状態となり、尻側カム軸７が時計方向に回動して、カムレバー９が二点鎖線で示す位置に位置付けられると、尻側版万力５によるくわえが解除される。
【００１６】
次に、図１および図２を用いて、版押え装置３０について説明する。
【００１７】
図２において、３１，３１はフレーム２，３のそれぞれに回転自在かつ軸線方向に移動が規制された枢軸であって、これら枢軸３１，３１のフレーム２，３の外側に突出した突出端部にはレバー３２，３２の基端部が軸着され、これらレバー３２，３２の揺動端部には、レバー３３，３３の一端部が枢着されている。これらレバー３３，３３の他端部は、シリンダエンドがフレーム２，３のそれぞれに枢着されたアクチュエータとしての図示を省略した２つの第２のエアシリンダのロッドに連結されており、ロッドが進退することにより、レバー３３，３２を介して枢軸３１，３１が回動するように構成されている。
【００１８】
枢軸３１，３１のフレーム２，３の内側に突出した突出端部のそれぞれには、レバー３４，３４の基端部が軸着されており、これらレバー３４，３４の揺動端部のそれぞれには、レバー３５，３５の一端部が枢着されている。３６，３６は互いに対向するように設けられた一対のコロレバーであって、それぞれの基端部が固定軸１２の両端部に回動自在に支持されており、それぞれの揺動端部間に軸３７が横架され、この軸３７には複数の版押えコロ３８が軸線方向に移動を規制された状態で回転自在に支持されている。３９ａは撓み防止バーであって、軸３７と平行となるように、軸３７の両端側に軸着された固定子３９，３９間に掛け渡されており、後述するように版押えコロ３８によって版を版胴１の周面に押し付けるときに発生する軸３７の撓みを規制する。コロレバー３６，３６のそれぞれの中央部には、レバー３５の他端部が枢着されており、第２のエアシリンダが作動し、枢軸３１，３１が図１中時計方向に回動すると、レバー３５を介してコロレバー３６が固定軸１２を中心として時計方向に回動し、版押えコロ３８が図中実線で示すように版胴１の周面から離間する離間位置に位置付けられる。一方、第２のエアシリンダが作動し、枢軸３１，３１が図１中反時計方向に回動すると、レバー３５を介してコロレバー３６が固定軸１２を中心として反時計方向に回動し、版押えコロ３８が図中二点鎖線で示すように版を版胴１の周面に押し付ける押え位置に位置付けられる。
【００１９】
次に、図１、図２および図７を用いて、本発明の特徴である覆い装置４０について説明する。
【００２０】
図１において、４１は略角筒状に形成された第２の覆い部材としての下側の覆い部材であって、図２に示すように、上述した一対のコロレバー３６，３６間に延在するように形成され、両端部がブラケット４２，４２を介してコロレバー３６，３６に取り付けられている。この下側の覆い部材４１は、図１に示すように、後述するカバー４７に対向する断面が円弧状に形成された覆い面４１ａと、この覆い面４１ａから版胴１側に直線状に延設された下側の版案内部４１ｂとを備えている。４３は断面が逆くの字状に形成された第２の覆い部材としての上側の覆い部材であって、下側の覆い部材４１と対向するように、両端側が軸３７の両端側にブラケット４４，４４を介して取り付けられている。この上側の覆い部材４３は、カバー４７に対向する覆い面４３ａと、この覆い面４３ａから版胴１側に直線状に延設された上側の版案内部４３ｂとを備えている。これら版案内部４１ｂと版案内部４３ｂとは、後述するように、排出される旧版５３Ｂの厚み方向に対向している。
【００２１】
これら下側の覆い部材４１の覆い面４１ａの上端と、上側の覆い部材４３の覆い面４３ａの下端との間に、軸３７の両端部の間に延在する開放部としての版排出口４５が設けられているとともに、この版排出口４５と版案内部４１ｂ，４３ｂを挟んで反対側の版胴１側に、これら版案内部４１ｂ，４３ｂに版を導入する版導入口４６が設けられている。下側の版案内部４１ｂと上側の版案内部４３ｂとの間隔は、版胴１側である版導入口４６から版排出口４５へ向かって漸次小さく形成されており、版排出口４５の排出される旧版５３Ｂの厚み方向の間隔Ｌ１が版導入口４６の間隔Ｌ２よりも小さく形成されている。
【００２２】
４７は版胴１およびゴム胴１０の前面側を覆う第１の覆い部材としてのカバーであって、左右のフレーム２，３に固定されており、上端部に取り付けられたブラケット４８に複数の版位置決め用ピン４９が設けられている。５０は版胴１の前面側を覆う揺動部材としての版挿入用のローダであって、上端部がピン５１を介して左右のフレーム２，３に揺動自在に支持されており、左右のフレーム２，３間に形成される空間５２を閉塞する実線で示す閉塞位置と、空間５２を開放する開放位置との間で移動自在に支持されている。このローダ５０には、新版５３Ａを吸着し図中上下方向に移動自在な吸着パッド５４が設けられており、ローダ５０が開放位置に位置付けられたときに、吸着パッド５４が下方に移動することにより、新版５３Ａが版胴１のくわえ側版万力４内に挿入される。
【００２３】
一方、ローダ５０が閉塞位置に位置付けられているときには、新版５３Ａのくわえ側端縁に設けたＵ字溝に位置決め用ピン４９が係入され、新版５３Ａの天地方向の位置決めがなされた状態で吸着パッド５４に吸着されている。上述した両覆い部材４１，４３は、図１に実線で示す退避位置から、版押えコロ３８が二点鎖線で示す作動位置に位置付けられると、これとともに二点鎖線で示すように、開放位置に位置付けられたローダ５０とカバー４７との間の開放された空間５２を覆う作動位置に位置付けられる。この作動位置に位置付けられた両覆い部材４１，４３の版排出口４５を通って、版胴１の旧版５３Ｂが排出される。
【００２４】
次に、図３ないし図１２を用いて、このように構成された版排出装置において、旧版の排出動作および新版の給版動作を説明する。
【００２５】
図３に示すように、くわえ側版万力４を開くために、予め設定された位相まで版胴１を回動させて停止させ、図示を省略した第１のエアシリンダを作動させ、くわえ切替コロ２８を実線で示す位置から二点鎖線で示すように版胴１の中心方向へ移動させることにより、カムレバー８を実線で示す位置から二点鎖線で示す位置に揺動させる。この揺動によってくわえ側カム軸６が図中時計方向に回動するので、くわえ側版万力４が開き、このくわえ側版万力４から旧版のくわえ側端部が外れる。
【００２６】
次いで、図４に示すように、尻側版万力５を開くために、予め設定された位相まで版胴１を反時計方向に回動させて停止させ、図示を省略した第２のエアシリンダを作動させ、版押えコロ３８を二点鎖線で示す位置から実線で示すように旧版を版胴１の周面に押えつける押え位置に位置付ける。この状態で、第１のエアシリンダを作動させ、くわえ切替コロ２８を実線で示す位置から二点鎖線で示すように版胴１の中心方向へ移動させることにより、カムレバー９を実線で示す位置から二点鎖線で示す位置に揺動させる。この揺動によって尻側カム軸７が図中時計方向に回動するので、尻側版万力５が開き、この尻側版万力５から旧版の尻側端部が外れる。
【００２７】
次に、図５に示すように、第２のエアシリンダを作動させ版押えコロ３８を二点鎖線で示す位置から実線で示すように版胴１の周面から離間させる位置に位置付けることにより、この版押えコロ３８の動作に追従して、旧版５３Ｂの尻側端部が版胴１の周面から離間し版ガイドバー１８に係合する。
【００２８】
この状態で、図６に示すように、ローダ５０をピン５１を中心として時計方向へ略４５°回動させ、先端を版胴１の周面に近接させることにより、ローダ５０とカバー４７との間の空間５２が開放される。
【００２９】
同時に、第２のエアシリンダを作動させ、図７に示すように、版押えコロ３８を二点鎖線で示す位置から実線で示すように、版胴１の周面に版を押えつける押え位置に位置付けると、これに追従して両覆い部材４１，４３は、両覆い面４１ａ，４３ａが開放位置に位置付けられたローダ５０と、カバー４７との間の開放された空間５２を覆う作動位置に移動する。したがって、開放された空間５２から工具やウェスが誤って挿入されても、両覆い面４１ａ，４３ａによって挿入が阻止されるから、版胴１の周面が工具によって傷付いたり損傷したりするのを防止できるとともに、ウェスがローラ間に巻き込まれて装置が故障するのを防止することができる。
【００３０】
この状態としてから、図８に示すように、版胴１を反時計方向に回転させると、旧版５３Ｂは版ガイドバー１８に添接されるようにして案内され、尻側端部が版導入口４６から両版案内部４１ｂ，４３ｂ間に導入されて版排出口４５から排出される。このとき、版導入口４６の間隔Ｌ２が版排出口４５の間隔Ｌ１がよりも大きく形成されているから、版胴１から外れた旧版５３Ｂの尻側端部を版導入口４６から両版案内部４１ｂ，４３ｂ間に確実に導入することができる。また、版排出口４５の間隔Ｌ１を最小限の大きさとすることができるから、両覆い面４１ａ，４３ａによって工具やウェス等の挿入を確実に規制することができる。また、下側の版案内部４１ｂと上側の版案内部４３ｂとの間隔は、版胴１側である版導入口４６から版排出口４５へ向かって漸次小さく形成されているため、両版案内部４１ｂ，４３ｂ間に導入された旧版５３Ｂが折れ曲がったりすることなく版排出口４５から円滑に排出することができる。
【００３１】
旧版５３Ｂを版胴１から取り外して版排出口４５から排出した後に、第２のエアシリンダを作動させ、図９に示すように、版押えコロ３８を版胴１の周面から離間させることにより、両覆い部材４１，４３もこれとともに作動位置から退避位置に移動する。この状態で、新版５３Ａをくわえ側版万力４に挿入させるため、版胴１をくわえ側版万力４を開くために予め設定された位相まで版胴１を反時計方向にわずかに回動させて停止させる。ローダ５０の吸着パッド５４を移動させ、くわえ側版万力４に新版５３Ａのくわえ側端部を挿入する。この状態で、第１のエアシリンダを作動させ、くわえ切替コロ２８を実線で示す位置から二点鎖線で示すように版胴１の中心方向へ移動させることにより、カムレバー８を実線で示す位置から二点鎖線で示す位置に揺動させる。この揺動によってくわえ側カム軸６が図中反時計方向に回動するので、くわえ側版万力４によって新版５３Ａのくわえ側端部がくわえられる。
【００３２】
次いで、第２のエアシリンダを作動させ、図１０に示すように、版押えコロ３８を版胴１の周面に版を押えつける押え位置に位置付けた状態で、版胴１を図中時計方向に回動させることにより、版押えコロ３８によって新版５３Ａが版胴１の周面に押し付けられながら版胴１に巻き付けられる。
【００３３】
図１１に示すように、版胴１の尻側版万力５に新版５３Ａの尻側端部がくわえられる位置まで版胴１が回動すると版胴１が停止し、版押えコロ３８によって新版５３Ａの尻側端部が尻側版万力５に挿入される。この状態で、第１のエアシリンダを作動させ、くわえ切替コロ２８を実線で示す位置から二点鎖線で示すように版胴１の中心方向へ移動させることにより、カムレバー９を実線で示す位置から二点鎖線で示す位置に揺動させる。この揺動によって尻側カム軸７が図中反時計方向に回動するので、尻側版万力５によって新版５３Ａの尻側端部がくわえられ、新版５３Ａが版胴１の周面に装着される。
【００３４】
次いで、第２のエアシリンダが作動し版押えコロ３８が、図１２に示すように、二点鎖線で示す位置から実線で示すように版胴１の周面から離間する離間位置に位置付けられるとともに、ローダ５０がピン５１を中心として反時計方向に揺動して先端が版胴１の周面から離間し版の交換作業が終了する。
【００３５】
上述したように、両覆い部材４１，４３の作動位置と退避位置との間の移動を版押えコロ３８の移動と一体的に行うようにしたことにより、両覆い部材４１，４３を移動させるための装置を特別に必要としないため、部品点数を削減できるばかりではなく構造の簡素化を図ることができる。
【００３６】
なお、本実施の形態においては、覆い部材４１，４３を２つの部材によって構成したが、１つの部材によって形成してもよく、その場合には版排出口４５をスリット状に形成すればよい。また、覆い部材４１，４３に版排出口４５を設けたが、作動位置に位置付けられた覆い部材によって、開放された空間５２に版を排出可能な隙間を設けるようにすれば、版排出口４５を設けなくてもよい。また、覆い部材４１，４３の覆い面４１ａ，４３ａに、装置の内部を視認できる程度の通し窓としての孔を設けてもよい。また、版導入口４６から版排出口４５までの間隔を漸次小さくし２つの版案内部４１ｂ，４３ｂを直線状に形成したが、版導入口４６から版案内部４１ｂ，４３ｂの中央部までの間隔を漸次小さくし、中央部から版排出口４５までの間隔を同じとし、２つの版案内部４１ｂ，４３ｂの断面形状をロート状に形成してもよく、種々の設計変更が可能である。また、両覆い部材４１，４３を版押えコロ３８と一体的に移動させるようにしたが、両覆い部材４１，４３の専用の駆動手段を設けてもよい。また、揺動部材として、新版５３Ａを供給するローダ５０としたが、版を製版する製版装置としてもよく、種々の設計変更が可能である。
【図面の簡単な説明】
【００３７】
【図１】本発明に係る版排出装置の要部を示す側面図である。
【図２】本発明に係る版排出装置を展開した正断面図である。
【図３】本発明に係る版排出装置において、くわえ側版万力を開く動作を説明するための側面図である。
【図４】本発明に係る版排出装置において、尻側版万力を開く動作を説明するための側面図である。
【図５】本発明に係る版排出装置において、尻側版万力から旧版の尻側端部が外れた状態を示す側面図である。
【図６】本発明に係る版排出装置において、ローダを揺動させローダの先端を版胴の周面に近接させた状態を示す側面図である。
【図７】本発明に係る版排出装置において、版押えコロに連動して覆い部材が揺動したローダとカバーとの間の開放された空間を覆った状態を示す側面図である。
【図８】本発明に係る版排出装置において、旧版を覆い部材の版排出口から排出している状態を示す側面図である。
【図９】本発明に係る版排出装置において、新版のくわえ側端部をくわえ側版万力に挿入しくわえ側版万力によってくわえる状態を示す側面図である。
【図１０】本発明に係る版排出装置において、版胴を回動させ版押えコロによって新版を版胴の周面に押し付けながら新版を版胴に巻き付ける動作を説明するための側面図である。
【図１１】本発明に係る版排出装置において、新版の尻側端部を版胴の尻側版万力に挿入し新版を版胴の周面に装着した状態を示す側面図である。
【図１２】本発明に係る版排出装置において、新版の版胴への装着完了後に版押えコロとローダとを初期位置に戻した状態を示す側面図である。
【符号の説明】
【００３８】
１…版胴、４…くわえ側版万力、５…尻側版万力、１０…ゴム胴、１５…安全バー、１８…版ガイドバー、２０…くわえ切替装置、２８…くわえ切替コロ、３０…版押え装置、３８…版押えコロ、４１…下側の覆い部材（第２の覆い部材）、４１ａ，４３ａ…覆い面、４１ｂ，４３ｂ…版案内部、４３…上側の覆い部材（第２の覆い部材）、４５…版排出口（開放部）、４６…版導入口、４７…カバー（第１の覆い部材）、５０…版挿入用のローダ（揺動部材）、５２…開放された空間、５３Ａ…新版、５３Ｂ…旧版。
【図１】
2005169723.tif 000003
【図２】
2005169723.tif 000004
【図３】
2005169723.tif 000005
【図４】
2005169723.tif 000006
【図５】
2005169723.tif 000007
【図６】
2005169723.tif 000008
【図７】
2005169723.tif 000009
【図８】
2005169723.tif 000010
【図９】
2005169723.tif 000011
【図１０】
2005169723.tif 000012
【図１１】
2005169723.tif 000013
【図１２】
2005169723.tif 000014